(57)【要約】【課題】緊急通報を行うことが困難である状況下でも、緊急通報することができるようにし、他人による不正使用を防止する。【解決手段】公衆移動通信で信号を送受信する無線送受信部１１、これにより送信される送話信号を入力するマイク部１２、操作入力部１５を備え、これで緊急通報静観モードを選択する操作が行われると、そのモードに移行し、マイク部１２を動作状態に切り換え、無線送受信部１１を通じて予め設定された緊急通報先への通信を開始するように携帯無線端末１を構成する。撮像カメラ１６、これを用いて得た携行者特定用の特定画像を予め記憶する記憶部１７を設け、操作入力部１５で上記モードが選択されると、撮像カメラ１６で撮像を行い、その撮像で得られた画像の内容が、記憶部１７に予め記憶された特定画像の内容に対応すれば、緊急通報静観モードに移行するのを許可する一方、対応しなければ、そのモードに移行するのを禁止する。【選択図】  図１
2004357247.tif 000002
【特許請求の範囲】
【請求項１】
公衆移動通信により信号を送受信する無線送受信手段と、この無線送受信手段によって送受信される送受話信号をそれぞれ入出力する音声入力手段および音声出力手段と、操作入力手段とを備え、前記操作入力手段で緊急通報静観モードを選択する操作が行われると、その緊急通報静観モードに移行して、前記音声入力手段および前記音声出力手段をそれぞれ動作状態および動作禁止状態に切り換えるとともに、前記無線送受信手段を通じて、予め設定された緊急通報先への通信を開始する携帯無線端末であって、
画像の撮像を行う撮像手段と、この撮像手段を用いて得られる携行者特定用の特定画像を予め記憶する記憶手段とを備え、
前記操作入力手段で緊急通報静観モードを選択する操作が行われると、前記撮像手段で撮像を行い、その撮像によって得られた画像の内容が、前記記憶手段に予め記憶された特定画像の内容に対応すれば、前記緊急通報静観モードに移行するのを許可する一方、対応しなければ、前記緊急通報静観モードに移行するのを禁止する
ことを特徴とする携帯無線端末。
【請求項２】
前記撮像手段は赤外線カメラであることを特徴とする請求項１記載の携帯無線端末。
【請求項３】
前記特定画像は、恐怖または不安時の顔の画像であることを特徴とする請求項１または２記載の携帯無線端末。
【請求項４】
前記特定画像は、所定の身装備品の画像であることを特徴とする請求項１または２記載の携帯無線端末。
【請求項５】
前記特定画像は、所定の建物の画像であることを特徴とする請求項１または２記載の携帯無線端末。
【請求項６】
前記緊急通報先は、前記無線送受信手段と信号を送受信するための通信手段と、画像信号から画像の特徴を抽出してそれを強調した特徴強調画像を生成する画像処理手段とを備え、前記通信手段を通じて、前記特定画像用の画像信号を受信すると、その画像信号から前記画像処理手段によって特徴強調画像を生成してこれを返信する機能を持つ通報センタであり、
予め、前記操作入力手段で前記特定画像を前記記憶手段に記憶するための操作が行われたときに、前記撮像手段で撮像を行い、その撮像によって得られた画像情報を含む画像信号を、前記無線送受信手段を通じて前記通報センタに送信することにより、前記通報センタから返信されてくる特徴強調画像を前記特定画像として前記記憶手段に記憶する
ことを特徴とする請求項１から５のいずれかに記載の携帯無線端末。
【請求項７】
設定器側インタフェースと、画像信号から画像の特徴を抽出してそれを強調した特徴強調画像を生成する画像処理手段とを備え、前記設定器側インタフェースを通じて、前記特定画像用の画像信号を受信すると、その画像信号から前記画像処理手段によって特徴強調画像を生成してこれを返信する機能を持つ外部設定器との通信用であって、前記設定器側インタフェースと対応する端末側インタフェースを備え、
予め、前記操作入力手段で前記特定画像を前記記憶手段に記憶するための操作が行われたときに、前記撮像手段で撮像を行い、その撮像によって得られた画像情報を含む画像信号を、前記端末側インタフェースを通じて、前記外部設定器に送信することにより、前記外部設定器から返信されてくる特徴強調画像を前記特定画像として前記記憶手段に記憶する
ことを特徴とする請求項１から６のいずれかに記載の携帯無線端末。
【請求項８】
ＧＰＳ受信手段と、このＧＰＳ受信手段で受信されたＧＰＳ信号から現在位置を演算により求める現在位置取得手段とを備え、少なくとも前記緊急通報静観モードの場合、前記現在位置取得手段によって求められた現在位置の情報を、前記無線送受信手段を通じて予め設定された緊急通報先に送信することを特徴とする請求項１から７のいずれかに記載の携帯無線端末。
【請求項９】
前記無線送受信手段を通じて、前記緊急通報先から現在位置情報の送信を要求する所定の要求コマンドを受信した後に、前記現在位置の情報を前記緊急通報先に送信することを特徴とする請求項８記載の携帯無線端末。
【発明の詳細な説明】
【０００１】
【発明の属する技術分野】
本発明は、公衆移動通信により携行者の周囲状況を、予め設定された緊急通報先にてモニタ可能とする携帯無線端末に関するものである。
【０００２】
【従来の技術】
従来、この種の携帯無線端末は、種々提案されまた市販されている。例えば、緊急通報を行うことが困難である状況下でも、緊急通報することができる携帯無線端末が、本出願人によって別途提案されている（特願２００２−１６８８６５号）。
【０００３】
すなわち、公衆移動通信により信号を送受信する無線送受信手段と、この無線送受信手段によって送受信される送受話信号をそれぞれ入出力する音声入力手段および音声出力手段と、発光表示により動作状況を示す発光手段と、操作入力手段と、この操作入力手段で緊急通報通常モードを選択する操作が行われると、その緊急通報通常モードに移行して、音声入力手段、音声出力手段および発光手段を動作状態に切り換えるとともに、無線送受信手段を通じて、予め設定された緊急通報先への通信を開始する一方、操作入力手段で緊急通報静観モードを選択する操作が行われると、その緊急通報静観モードに移行して、音声入力手段と音声出力手段および発光手段とをそれぞれ動作状態と動作禁止状態とに切り換えるとともに、無線送受信手段を通じて、予め設定された緊急通報先への通信を開始する制御を実行するモード切換制御手段とを備える携帯無線端末が、提案されている。
【０００４】
このような携帯無線端末によれば、緊急通報静観モードに移行して、無線送受信手段を通じて、予め設定された緊急通報先への通信を開始するとき、音声入力手段と音声出力手段および発光手段とをそれぞれ動作状態と動作禁止状態とに切り換えることにより、携帯無線端末の携行者の状況を緊急通報することができるとともに、携帯無線端末が緊急通報していることを周囲の人に悟られないようにすることができるため、緊急通報を行うことが困難である状況下でも、緊急通報することができる。
【０００５】
なお、特許文献１には、不正使用者の逆探知を可能にするべく、使用者認証機能による照合が一致しない場合に、撮像した画像データを外部に送信し且つ通信動作を継続させる携帯無線端末が開示されている。
【０００６】
【特許文献１】
特開２００２−２６１９１４号公報
【０００７】
【発明が解決しようとする課題】
しかしながら、本出願人により別途提案されている上記携帯無線端末では、操作入力手段で緊急通報静観モードを選択する操作が行われると、緊急通報静観モードに移行するようになっているため、他人によって緊急通報静観モードに簡単に切り換えられてしまうという問題があった。
【０００８】
このため、パスワード等の入力を必要とする構成に変えれば、他人によって緊急通報静観モードに切り換えられるのを防止することができる反面、緊急通報を行うことが困難である状況下で、緊急通報の操作が面倒となり、上記携帯無線端末の根幹に関わる問題が生じてしまう。
【０００９】
本発明は、上記事情に鑑みてなされたものであり、緊急通報を行うことが困難である状況下でも、緊急通報することができるとともに、他人による不正使用の防止が可能となる携帯無線端末を提供することを目的とする。
【００１０】
【課題を解決するための手段】
上記課題を解決するための請求項１記載の発明は、公衆移動通信により信号を送受信する無線送受信手段と、この無線送受信手段によって送受信される送受話信号をそれぞれ入出力する音声入力手段および音声出力手段と、操作入力手段とを備え、前記操作入力手段で緊急通報静観モードを選択する操作が行われると、その緊急通報静観モードに移行して、前記音声入力手段および前記音声出力手段をそれぞれ動作状態および動作禁止状態に切り換えるとともに、前記無線送受信手段を通じて、予め設定された緊急通報先への通信を開始する携帯無線端末であって、画像の撮像を行う撮像手段と、この撮像手段を用いて得られる携行者特定用の特定画像を予め記憶する記憶手段とを備え、前記操作入力手段で緊急通報静観モードを選択する操作が行われると、前記撮像手段で撮像を行い、その撮像によって得られた画像の内容が、前記記憶手段に予め記憶された特定画像の内容に対応すれば、前記緊急通報静観モードに移行するのを許可する一方、対応しなければ、前記緊急通報静観モードに移行するのを禁止することを特徴とする。
【００１１】
この構成では、緊急通報静観モードに移行すると、音声入力手段および音声出力手段がそれぞれ動作状態および動作禁止状態に切り換えられるとともに、無線送受信手段を通じて、予め設定された緊急通報先への通信が開始されるので、緊急通報していることが、周囲の人に悟られないようになる。これにより、緊急通報を行うことが困難である状況下でも、緊急通報することができる。また、撮像手段の撮像によって得られた画像の内容が、記憶手段に予め記憶された特定画像の内容に対応すれば、つまり記憶手段に予め記憶された特定画像によって他人による不正使用でないことが確認されれば、緊急通報静観モードへの移行が許可される一方、対応せず、他人による不正使用でないことが確認されなければ、緊急通報静観モードへの移行が禁止されるので、他人による不正使用が防止されるようになる。
【００１２】
請求項２記載の発明は、請求項１記載の携帯無線端末において、前記撮像手段は赤外線カメラであることを特徴とする。この構成では、緊急時の場所が暗所であっても、撮像手段の撮像によって得られた画像の内容が、記憶手段に予め記憶された特定画像の内容に対応するかどうかを判別することができるようになる。
【００１３】
請求項３記載の発明は、請求項１または２記載の携帯無線端末において、前記特定画像は、恐怖または不安時の顔の画像であることを特徴とする。この構成では、緊急通報静観モード時に恐怖または不安に感じても、恐怖または不安時の顔の画像を特定画像として記憶手段に予め記憶しているため、撮像手段の撮像によって得られた画像の内容が、記憶手段に予め記憶された特定画像の内容に対応するかどうかを好適に判別することができるようになる。
【００１４】
請求項４記載の発明は、請求項１または２記載の携帯無線端末において、前記特定画像は、所定の身装備品の画像であることを特徴とする。この構成では、顔認識に比べ、撮像手段の撮像によって得られた画像に含まれるものが、記憶手段に予め記憶された特定画像に含まれるものと同じものであるか、そうでないかの対比が、容易となる。
【００１５】
請求項５記載の発明は、請求項１または２記載の携帯無線端末において、前記特定画像は、所定の建物の画像であることを特徴とする。この構成でも、顔認識に比べ、撮像手段の撮像によって得られた画像に含まれるものが、記憶手段に予め記憶された特定画像に含まれるものと同じものであるか、そうでないかの対比が、容易となる。
【００１６】
請求項６記載の発明は、請求項１から５のいずれかに記載の携帯無線端末において、前記緊急通報先は、前記無線送受信手段と信号を送受信するための通信手段と、画像信号から画像の特徴を抽出してそれを強調した特徴強調画像を生成する画像処理手段とを備え、前記通信手段を通じて、前記特定画像用の画像信号を受信すると、その画像信号から前記画像処理手段によって特徴強調画像を生成してこれを返信する機能を持つ通報センタであり、予め、前記操作入力手段で前記特定画像を前記記憶手段に記憶するための操作が行われたときに、前記撮像手段で撮像を行い、その撮像によって得られた画像情報を含む画像信号を、前記無線送受信手段を通じて前記通報センタに送信することにより、前記通報センタから返信されてくる特徴強調画像を前記特定画像として前記記憶手段に記憶することを特徴とする。この構成では、通報センタの設備を利用して、携帯無線端末での画像の対比を実行しやすい特徴強調画像を得ることができるようになる。これにより、撮像手段の撮像によって得られた画像の内容が、記憶手段に予め記憶された特定画像の内容に対応するか、対応しないかを判別し易くなる。
【００１７】
請求項７記載の発明は、請求項１から６のいずれかに記載の携帯無線端末において、設定器側インタフェースと、画像信号から画像の特徴を抽出してそれを強調した特徴強調画像を生成する画像処理手段とを備え、前記設定器側インタフェースを通じて、前記特定画像用の画像信号を受信すると、その画像信号から前記画像処理手段によって特徴強調画像を生成してこれを返信する機能を持つ外部設定器との通信用であって、前記設定器側インタフェースと対応する端末側インタフェースを備え、予め、前記操作入力手段で前記特定画像を前記記憶手段に記憶するための操作が行われたときに、前記撮像手段で撮像を行い、その撮像によって得られた画像情報を含む画像信号を、前記端末側インタフェースを通じて、前記外部設定器に送信することにより、前記外部設定器から返信されてくる特徴強調画像を前記特定画像として前記記憶手段に記憶することを特徴とする。この構成では、画像処理に特化した外部設定器を利用することにより、携帯無線端末での画像の対比を実行しやすい特徴強調画像が得られるようになる。これにより、撮像手段の撮像によって得られた画像の内容が、記憶手段に予め記憶された特定画像の内容に対応するか、対応しないかを判別し易くなる。
【００１８】
請求項８記載の発明は、請求項１から７のいずれかに記載の携帯無線端末において、ＧＰＳ受信手段と、このＧＰＳ受信手段で受信されたＧＰＳ信号から現在位置を演算により求める現在位置取得手段とを備え、少なくとも前記緊急通報静観モードの場合、前記現在位置取得手段によって求められた現在位置の情報を、前記無線送受信手段を通じて予め設定された緊急通報先に送信することを特徴とする。この構成では、緊急通報先が、緊急通報のあった携帯無線端末の現在位置を知ることができるようになる。
【００１９】
請求項９記載の発明は、請求項８記載の携帯無線端末において、前記無線送受信手段を通じて、前記緊急通報先から現在位置情報の送信を要求する所定の要求コマンドを受信した後に、前記現在位置の情報を前記緊急通報先に送信することを特徴とする。この構成では、緊急通報先が望むときに携帯無線端末の現在位置を知ることができるようになる。
【００２０】
【発明の実施の形態】
（第１実施形態）
図１は本発明による第１実施形態の携帯無線端末の構成図である。
【００２１】
図１の携帯無線端末１は、予め設定された例えば通報センタまたは自宅などの緊急通報先に無線で緊急通報を行うためのものであり、無線送受信部１１と、マイク部１２と、スピーカ部１３と、発光部１４と、操作入力部１５とを、「従来の技術」の欄で説明した携帯無線端末（以下「携帯無線端末Ａ」という）とほぼ同様に備えているほか、第１実施形態の特徴として、撮像カメラ１６と、記憶部１７と、制御部１０とを備えている。なお、電源は、電池またはバッテリが使用される。
【００２２】
無線送受信部１１は、アンテナを含み、例えばデータ通信が可能なＰＨＳなどと同様に構成され、公衆移動通信により信号を送受信するものである。
【００２３】
マイク部１２は、例えば、マイクと、このマイクで入力された周囲の音や携帯無線端末１の携行者の声などの音声信号を増幅する増幅器と、この増幅器で増幅された音声信号を音声データにＡ／Ｄ変換するＡ／Ｄ変換器とにより構成され、無線送受信部１１によって送信される送話信号を入力するものである。
【００２４】
スピーカ部１３は、例えば、無線送受信部１１からの音声データをアナログの音声信号にＤ／Ａ変換するＤ／Ａ変換器と、このＤ／Ａ変換器によって変換された音声信号を増幅する増幅器と、この増幅器で増幅された音声信号を出力するスピーカとにより構成され、無線送受信部１１によって受信される受話信号を音声で出力するものである。
【００２５】
発光部１４は、例えばＬＥＤなどにより構成され、その発光表示により携帯無線端末１の動作状況を示すものである。例えば、通信状態、緊急通報通常モードが選択されている状態などが発光表示によって示される。
【００２６】
操作入力部１５は、例えば、通常モード用スイッチおよび静観モード用スイッチなどにより構成され、緊急通報通常モードおよび緊急通報静観モードなどの各種モードのいずれかを選択するためのものである。そして、通常モード用スイッチおよび静観モード用スイッチのうち、少なくとも静観モード用スイッチは、撮像カメラ１６のシャッタボタンとして機能するようになっている。つまり、静観モード用スイッチを押下すると、撮像カメラ１６によって撮像が行われるのである。第１実施形態では、通常モード用スイッチおよび静観モード用スイッチの双方が、シャッタボタンとして機能するようになっているとする。
【００２７】
撮像カメラ１６は、第１実施形態では、通常モード用スイッチまたは静観モード用スイッチの押下に応じて、画像の撮像を行うものであり、例えば、フラッシュを具備しない赤外線（赤外帯域）カメラにより構成される。
【００２８】
記憶部１７は、例えば読み書き可能な半導体記憶装置により構成され、撮像カメラ１６を用いて得られる携行者特定用の特定画像を予め記憶している。
【００２９】
制御部１０は、ＣＰＵ、ＲＡＭおよびＲＯＭ（全体的な制御ソフト、画像処理ソフトおよび一致度判定ソフトなどを格納）などにより構成され、携帯無線端末１全般の制御などの処理を実行するものであり、登録機能１０１、携行者判定機能１０２およびモード切換制御機能１００などを有している。
【００３０】
登録機能１０１は、撮像カメラ１６を用いて得られる携行者特定用の特定画像を予め記憶部１７に記憶するための各処理を実行するものである。すなわち、操作入力部１５で特定画像を記憶部１７に記憶するための操作が行われたときに、撮像カメラ１６で撮像を行う撮像処理Ｐ１と、その撮像によって得られた画像情報を特定画像情報として記憶部１７に記憶（登録）する登録処理Ｐ５とが実行される。
【００３１】
携行者判定機能１０２は、操作入力部１５で通常モード用スイッチまたは静観モード用スイッチが押下され、緊急通報通常モードまたは緊急通報静観モードを選択する操作が行われたときに、そのモードへの移行の許否を判定するものである。具体的には、上記操作が行われたときに、撮像カメラ１６で撮像を行い、その撮像によって得られた画像の内容が、記憶部１７に予め記憶された特定画像の内容に対応するか、対応しないかを判別し、対応すれば、緊急通報通常モードまたは緊急通報静観モードへの移行を許可する処理が実行される。一方、対応しなければ、緊急通報通常モードまたは緊急通報静観モードへの移行を禁止する処理が実行される。要するに、撮像カメラ１６の撮像によって得られた画像と記憶部１７に予め記憶された特定画像とを用いて、画像認識によって、撮像カメラ１６の撮像によって得られた画像に含まれるもの（人や物）が、記憶部１７に予め記憶された特定画像に含まれるものと同じものであるか、そうでないかの認識（認証）を行い、その認識結果に応じて、上記各モードへの移行の許否を行うのである。
【００３２】
モード切換制御機能１００は、携行者判定機能１０２による許否に応じて、緊急通報通常モードまたは緊急通報静観モードに切り換え、そのモードに応じた緊急通報の制御を実行するものである。具体的には、携行者判定機能１０２で緊急通報通常モードへの移行が許可されると、緊急通報通常モードに移行して、マイク部１２、スピーカ部１３および発光部１４を動作状態に切り換えるとともに、無線送受信部１１を通じて、予め設定された緊急通報先への通信を開始する各処理が実行される。一方、携行者判定機能１０２で緊急通報静観モードへの移行が許可されると、緊急通報静観モードに移行して、マイク部１２とスピーカ部１３および発光部１４とをそれぞれ動作状態と動作禁止状態とに切り換えるとともに、無線送受信部１１を通じて、予め設定された緊急通報先への通信を開始する各処理が実行される。なお、携行者判定機能１０２で上記各モードへの移行が禁止された場合には、モード切換制御機能１００は動作しないようになっている。
【００３３】
次に、携帯無線端末１の動作について説明する。予め、操作入力部１５で特定画像を記憶部１７に記憶するための操作を行うと、撮像カメラ１６で撮像が行われ、その撮像によって得られた画像が記憶部１７に記憶（登録）される。続いて待機モードに移行する。
【００３４】
この後、操作入力部１５で通常モード用スイッチが押下されると、撮像カメラ１６で撮像が行われ、その撮像によって得られた画像の内容が、記憶部１７に予め記憶された特定画像の内容に対応するか、対応しないかの判別（認証）が行われる。
【００３５】
そして、撮像カメラ１６の撮像によって得られた画像の内容が、記憶部１７に予め記憶された特定画像の内容に対応する、という判別結果が得られれば、緊急通報通常モードへの移行が許可される。この後、緊急通報通常モードに移行し、マイク部１２、スピーカ部１３および発光部１４が動作状態に切り換わり、無線送受信部１１を通じて、予め設定された緊急通報先（例えば通報センタ）への通信が開始する。この後、無線送受信部１１を通じて、通報センタから認証用のＩＤ要求を受けると、携帯無線端末１に割り当てられているＩＤとともに緊急通報通常モードであることを示す状態情報が通報センタに送信される。そして、通報センタで適正な認証結果が得られると、携帯無線端末１と通報センタとの間で双方向のデータ通信／音声通話が実行される。
【００３６】
一方、撮像カメラ１６の撮像によって得られた画像の内容が、記憶部１７に予め記憶された特定画像の内容に対応しない、という判別結果が得られれば、緊急通報通常モードの動作は行われず、待機モードの状態を維持する。
【００３７】
上記緊急通報通常モードに対して、操作入力部１５で静観モード用スイッチが押下されると、撮像カメラ１６で撮像が行われ、その撮像によって得られた画像の内容が、記憶部１７に予め記憶された特定画像の内容に対応するか、対応しないかの判別が行われる。
【００３８】
そして、撮像カメラ１６の撮像によって得られた画像の内容が、記憶部１７に予め記憶された特定画像の内容に対応する、という判別結果が得られれば、緊急通報静観モードへの移行が許可される。この後、緊急通報静観モードに移行し、マイク部１２とスピーカ部１３および発光部１４とがそれぞれ動作状態と動作禁止状態とに切り換わり、無線送受信部１１を通じて、通報センタへの通信が開始する。この後、無線送受信部１１を通じて、通報センタから認証用のＩＤ要求を受けると、携帯無線端末１に割り当てられているＩＤとともに緊急通報静観モードであることを示す状態情報が通報センタに送信される。そして、通報センタで適正な認証結果が得られると、携帯無線端末１と通報センタとの間でデータ通信／音声通話が実行される。このとき、データ通信は双方向であるが、音声通話は、実質的に携帯無線端末１から通報センタ２への片方向となる。
【００３９】
一方、撮像カメラ１６の撮像によって得られた画像の内容が、記憶部１７に予め記憶された特定画像の内容に対応しない、という判別結果が得られれば、緊急通報静観モードの動作は行われず、待機モードの状態を維持する。
【００４０】
ところで、上記画像認識が顔画像認識である場合には、恐怖時や不安時の顔つきが、繭じりが下がったり、唇がへの字に近くなったり、頬が細くみえたり、瞳孔が狭くなったりするようになるため、特定画像として、恐怖または不安時の顔の画像（現実には、瞳孔を意識的に狭くするのは困難なため、恐怖または不安時にしそうな顔の画像）を記憶部１７に予め記憶しておくのが望ましい。これにより、顔画像認識で認証誤りとなるのを防止することが可能になる。
【００４１】
また、顔画像認識の場合には、緊急時に携行者の顔画像を撮像カメラ１６で撮像しなければならないので、携行者の正面下からのアングルの顔画像を記憶部１７に予め記憶しておくのが望ましい。
【００４２】
以上、第１実施形態によれば、緊急通報を行うことが困難である状況下でも、緊急通報することができるとともに、他人による不正使用の防止が可能となる。
【００４３】
また、撮像カメラ１６が赤外線カメラであるので、緊急時の場所が暗所であっても、撮像カメラ１６の撮像によって得られた画像の内容が、記憶部１７に予め記憶された特定画像の内容に対応するかどうかを判別することができる。また、フラッシュを具備しない（使用しない）ので、緊急通報静観モードに移行するのに支障がない。
【００４４】
なお、第１実施形態では、画像認識が顔画像認識である場合の特定画像の例について言及したが、画像認識は顔画像認識に限らず、携行者を特定することができればよいので、携行者の身体画像を特定画像として記憶部１７に予め記憶するようにしてもよい。
【００４５】
また、特定画像として、所定の身装備品の画像を記憶部１７に予め記憶するようにしてもよい。例えば、ベルトのバックルや靴の裏底などのように、物の画像を特定画像にしてもよい。これにより、撮像カメラ１６の撮像によって得られた画像に含まれるものが、記憶部１７に予め記憶された特定画像に含まれるものと同じものであるか、それとも同じものでないかの認識（認証）が、容易となる。現実には、撮像カメラ１６で撮像のし易いバックの中とかポケットの中などの画像になるが、その場合、近接レンズが必要となる。
【００４６】
さらに、特定画像として、所定の建物の画像を記憶部１７に予め記憶するようにしてもよい。例えば、携行者のよく行く場所であって犯罪多発地域に建設された目立つ建物などでも、認識（認証）が容易となる。この場合、建物の画像を各種記憶部１７に予め記憶しておく必要がある。
【００４７】
なお、本発明とは関連しないが、繭じりが下がったり、唇がへの宇に近くなったり、頬が細くみえたり、瞳孔が狭くなったりする恐怖または不安時の変化量について、変化程度が大きいほど、携行者の心理状況が追い詰められているというように心理状況を判断することが可能である。
【００４８】
（第２実施形態）
図２は本発明による第２実施形態の携帯無線端末の構成図である。
【００４９】
図２の携帯無線端末１Ａは、第１実施形態との相違点として、通報センタのセンタ装置２が持つ機能を利用して、特定画像を記憶部１７に予め記憶することを特徴とする。なお、図２において、４は接続ポイントの通信サーバである。
【００５０】
センタ装置２は、例えば、キーボードおよびマウスなどの入力装置、ＣＲＴまたはＬＣＤなどの表示装置、ハードディスクおよびファイルサーバなどの大容量記憶装置、通信インターフェース、および音声入出力装置などの各種装置と外部ないし内部接続されたワークステーションなどの高性能なコンピュータである。
【００５１】
そして、センタ装置２には、第２実施形態の特徴として、携帯無線端末１Ａの無線送受信部１１と信号を送受信するための通信部２１と、画像信号から画像の特徴を抽出してそれを強調した特徴強調画像を生成する画像処理部２２と、制御部２０とが具備されている。なお、図２の例では、通信部２１は、双方向で通話およびデータ通信が可能な、無線通信部２１１および有線通信部２１２により構成されている。
【００５２】
制御部２０は、各携帯無線端末１Ａからの通報を監視するための種々の制御機能を持っており、例えば、第１実施形態の緊急通報通常モードおよび緊急通報静観モードにそれぞれ対応するための各機能を持っているほか、通信部２１を通じて、特定画像用の画像信号を受信すると、その画像信号から画像処理部２２によって特徴強調画像を生成してこれを返信する機能を持っている。
【００５３】
携帯無線端末１Ａは、無線送受信部１１と、マイク部１２と、スピーカ部１３と、発光部１４と、操作入力部１５と、撮像カメラ１６と、記憶部１７とを、第１実施形態の携帯無線端末１と同様に備えているほか、第２実施形態の特徴として、登録機能１０１Ａのみが携帯無線端末１のそれと相違する制御部１０Ａを備えている。
【００５４】
登録機能１０１Ａは、撮像カメラ１６を用いて得られる携行者特定用の特定画像を予め記憶部１７に記憶するための各処理を実行するものである。すなわち、操作入力部１５で特定画像を記憶部１７に記憶するための操作が行われたときに、撮像カメラ１６で撮像を行う撮像処理Ｐ１と、その撮像によって得られた画像情報を記憶部１７に一時記憶する一時保持処理Ｐ２と、記憶部１７に一時記憶した画像情報を含む画像信号を、無線送受信部１１を通じて通報センタのセンタ装置２に送信する送信処理Ｐ３と、上記画像信号をセンタ装置２に送信することにより、センタ装置２から返信されてくる特徴強調画像情報を、無線送受信部１１を通じて受信する受信処理Ｐ４と、その受信した特徴強調画像情報を特定画像情報として記憶部１７に記憶（登録）する登録処理Ｐ５とが実行される。
【００５５】
次に、第２実施形態の特徴となる動作について説明する。予め、操作入力部１５で特定画像を記憶部１７に記憶するための操作を行うと、登録モードに移行して、撮像カメラ１６で撮像が行われる。続いて、その撮像によって得られた画像情報が記憶部１７に一時記憶されるとともに、無線送受信部１１を通じて、予め設定された通報センタ（センタ装置２）への通信が開始する。
【００５６】
この後、無線送受信部１１を通じて、通報センタから認証用のＩＤ要求を受けると、記憶部１７に一時記憶した画像情報を含む画像信号が、携帯無線端末１Ａに割り当てられているＩＤおよび登録モードであることを示す状態情報とともに通報センタに送信される。
【００５７】
この後、通報センタにおいて、適正な認証結果が得られると、状態情報に従って、通信部２１を通じて受信した画像信号から、画像処理部２２によって、顔の輪郭を強調したり、目鼻立ちをはっきりさせたり、眼球の虹彩のパターンを強調して明確にしたりして、携帯無線端末１Ａでの画像認識処理を実行しやすいように、特徴を抽出して強調した特徴強調画像が生成される。そして、その特徴強調画像は、通信部２１を通じて返信される。なお、顔ではなく、建物の場合には、建物の輪郭をｎ次関数カーブでデフォルメするなどして特徴強調画像が生成される。
【００５８】
この後、携帯無線端末１Ａにおいて、通報センタから返信されてくる特徴強調画像が、無線送受信部１１を通じて受信されると、一時記憶した上記画像が消去されるとともに、特徴強調画像が特定画像として記憶部１７に記憶される。そして、発光部１４によって、特定画像が記憶部１７に記憶されたことを示す表示がなされる。
【００５９】
以上、第２実施形態によれば、携帯無線端末１Ａよりもかなり高性能なセンタ装置２を利用して、携帯無線端末１Ａでの画像認識処理を実行しやすい特徴強調画像を得ることができるので、撮像カメラ１６の撮像によって得られた画像の内容が、記憶部１７に予め記憶された特定画像の内容に対応するか、対応しないかを判別し易くなる。
【００６０】
（第３実施形態）
図３は本発明による第３実施形態の携帯無線端末の構成図である。
【００６１】
図３の携帯無線端末１Ｂは、第１実施形態との相違点として、外部設定器３が持つ機能を利用して、特定画像を記憶部１７に予め記憶することを特徴とする。
【００６２】
外部設定器３は、例えばＵＳＢなどの通信用のインタフェース３１と、画像信号から画像の特徴を抽出してそれを強調した特徴強調画像を生成する画像処理部３２と、制御部３０とを備えている。
【００６３】
制御部３０は、ＣＰＵ、ＲＡＭおよびＲＯＭ（画像処理ソフトなどを格納）などにより構成され、携帯無線端末１Ｂの各種設定を行う種々の設定機能を持っており、例えば、インタフェース３１を通じて、特定画像用の画像信号を受信すると、その画像信号から画像処理部３２によって特徴強調画像を生成してこれを返信する機能を持っている。
【００６４】
携帯無線端末１Ｂは、無線送受信部１１と、マイク部１２と、スピーカ部１３と、発光部１４と、操作入力部１５と、撮像カメラ１６と、記憶部１７とを、第１実施形態の携帯無線端末１と同様に備えているほか、第３実施形態の特徴として、外部設定器３のインタフェース３１との通信用のインタフェース１８と、登録機能１０１Ａのみが携帯無線端末１のそれと相違する制御部１０Ａとを備えている。なお、第３実施形態の制御部１０Ａ、登録機能１０１Ａは、これら処理内容が第２実施形態のそれらと相違するが同一符号にしてある。
【００６５】
第３実施形態の登録機能１０１Ａは、予め、撮像カメラ１６を用いて得られた画像を記憶部１７に記憶するための各処理を実行するものである。すなわち、操作入力部１５で特定画像を記憶部１７に記憶するための操作が行われたときに、撮像カメラ１６で撮像を行う撮像処理Ｐ１と、その撮像によって得られた画像情報を記憶部１７に一時記憶する一時保持処理Ｐ２と、記憶部１７に一時記憶した画像情報を含む画像信号を、インタフェース１８を通じて外部設定器３に送信する送信処理Ｐ３と、上記画像信号を外部設定器３に送信することにより、外部設定器３から返信されてくる特徴強調画像を、インタフェース１８を通じて受信する受信処理Ｐ４と、その受信した特徴強調画像を特定画像として記憶部１７に記憶する登録処理Ｐ５とが実行される。
【００６６】
次に、第３実施形態の特徴となる動作について説明する。予め、インタフェース１８とインタフェース３１とを所定のケーブルＣで接続した後、操作入力部１５で特定画像を記憶部１７に記憶するための操作を行うと、登録モードに移行して、撮像カメラ１６で撮像が行われる。続いて、その撮像によって得られた画像が記憶部１７に一時記憶されるとともに、インタフェース１８を通じて、外部設定器３への通信が開始し、記憶部１７に一時記憶した画像情報を含む画像信号が、外部設定器３に送信される。
【００６７】
この後、外部設定器３において、インタフェース３１を通じて受信した画像信号から、画像処理部３２によって、顔の輪郭を強調したり、目鼻立ちをはっきりさせたり、眼球の虹彩のパターンを強調して明確にしたりして、携帯無線端末１Ｂでの画像認識処理を実行しやすいように、特徴を抽出して強調した特徴強調画像が生成される。そして、その特徴強調画像は、インタフェース３１を通じて返信される。
【００６８】
この後、携帯無線端末１Ｂにおいて、外部設定器３から返信されてくる特徴強調画像が、インタフェース１８を通じて受信されると、一時記憶した上記画像が消去されるとともに、特徴強調画像が特定画像として記憶部１７に記憶される。そして、発光部１４によって、特定画像が記憶部１７に記憶されたことを示す表示がなされる。
【００６９】
以上、第３実施形態によれば、携帯無線端末１Ｂよりも高性能な画像処理に特化した外部設定器３を利用することができるので、携帯無線端末１Ｂでの画像認識処理を実行しやすい好適な特徴強調画像を得ることができ、撮像カメラ１６の撮像によって得られた画像の内容が、記憶部１７に予め記憶された特定画像の内容に対応するか、対応しないかを判別し易くなる。
【００７０】
また、ケーブルＣを用いた有線通信であるので、画像信号の送受信にかかる時間を短縮することができるほか、符号化復元化誤りの点で有利となる。
【００７１】
なお、第２実施形態と第３実施形態とを融合して、通報センタおよび外部設定器のうち、どちらから特徴強調画像を受信するかを選択することができるようにしてもよい。
【００７２】
また、第２，第３実施形態では、予め、操作入力部１５で特定画像を記憶部１７に記憶するための操作を行うと、登録モードに移行するようになっているが、これに限らず、画像を表示する表示手段をさらに備え、予め、操作入力部１５で特定画像を記憶部１７に記憶するための操作を行うと、撮像カメラ１６で撮像を行い、その撮像によって得られた画像を、記憶部１７に一時記憶するとともに表示手段に表示し、その画像で良いことを示す操作が操作入力部１５で行われた場合に、登録モードに移行するように構成してもよい。
【００７３】
（第４実施形態）
図４は本発明による第４実施形態の携帯無線端末の構成図である。
【００７４】
図４の携帯無線端末１Ｃは、無線送受信部１１と、マイク部１２と、スピーカ部１３と、発光部１４と、操作入力部１５と、撮像カメラ１６と、記憶部１７とを、第２実施形態の携帯無線端末１Ａと同様に備えているほか、第４実施形態の特徴として、ＧＰＳ信号受信用のＧＰＳ受信部１８と、制御部１０Ｃとを備えている。なお、図４において、５はＧＰＳ衛星である。
【００７５】
制御部１０Ｃは、第２実施形態との相違点として、ＧＰＳ受信部１８で受信されたＧＰＳ信号から現在位置を演算により求める現在位置取得機能１０３をさらに備え、モード切換制御機能１００において、少なくとも緊急通報静観モードの場合のみでもよいが、第４実施形態では、緊急通報通常モードおよび緊急通報静観モードの場合に、現在位置取得機能１０３で求められた現在位置情報を送信する構成になっている。なお、第４実施形態のモード切換制御機能１００は、この処理内容が第２実施形態のそれと相違するが同一符号にしてある。
【００７６】
次に、第４実施形態の特徴となる動作について説明する。操作入力部１５で通常モード用スイッチが押下されると、撮像カメラ１６で撮像が行われ、その撮像によって得られた画像の内容が、記憶部１７に予め記憶された特定画像の内容に対応するか、対応しないかの判別が行われる。
【００７７】
そして、撮像カメラ１６の撮像によって得られた画像の内容が、記憶部１７に予め記憶された特定画像の内容に対応する、という判別結果が得られれば、緊急通報通常モードへの移行が許可される。この後、緊急通報通常モードに移行し、マイク部１２、スピーカ部１３、発光部１４およびＧＰＳ受信部１８が動作状態に切り換わり、無線送受信部１１を通じて、通報センタへの通信が開始する。この後、無線送受信部１１を通じて、通報センタから認証用のＩＤ要求を受けると、携帯無線端末１Ｃに割り当てられているＩＤ、緊急通報通常モードであることを示す状態情報および現在位置取得機能１０３で求められた現在位置情報が、通報センタに送信される。そして、通報センタで適正な認証結果が得られると、携帯無線端末１Ｃと通報センタとの間で双方向のデータ通信／音声通話が実行される。
【００７８】
上記緊急通報通常モードに対して、操作入力部１５で静観モード用スイッチが押下されると、撮像カメラ１６で撮像が行われ、その撮像によって得られた画像の内容が、記憶部１７に予め記憶された特定画像の内容に対応するか、対応しないかの判別が行われる。
【００７９】
そして、撮像カメラ１６の撮像によって得られた画像の内容が、記憶部１７に予め記憶された特定画像の内容に対応する、という判別結果が得られれば、緊急通報静観モードへの移行が許可される。この後、緊急通報静観モードに移行し、マイク部１２およびＧＰＳ受信部１８とスピーカ部１３および発光部１４とがそれぞれ動作状態と動作禁止状態とに切り換わり、無線送受信部１１を通じて、通報センタへの通信が開始する。この後、無線送受信部１１を通じて、通報センタから認証用のＩＤ要求を受けると、携帯無線端末１Ｃに割り当てられているＩＤ、緊急通報静観モードであることを示す状態情報および現在位置取得機能１０３で求められた現在位置情報が、通報センタに送信される。そして、通報センタで適正な認証結果が得られると、携帯無線端末１Ｃと通報センタとの間でデータ通信／音声通話が実行される。
【００８０】
以上のようにして、緊急通報通常モードまたは緊急通報静観モードにおいて、携帯無線端末１Ｃの現在位置情報が通報センタに送信され、例えば上述の表示装置に表示される。
【００８１】
なお、現在位置情報は、通報センタで適正な認証結果が得られた後に送信されるようにしてもよく、また１回の送信に限らず、定期的に、あるいは現在位置情報が変わったときに送信されるようにしてもよい。
【００８２】
また、現在位置取得機能１０３は、ＧＰＳ受信部１８内に設けられ、緯度、経度等の現在位置情報をＧＰＳ受信部が出力する構成でもよい。あるいは、ＧＰＳ受信部がＧＰＳ信号から緯度、経度等の現在位置を求め、現在位置取得機能がその緯度、経度等の現在位置から住所等の現在位置を求める構成でもよい。なお、住所等の現在位置は、通報センタで求めることができるので、携帯無線端末で必ずしも求める必要はない。
【００８３】
（第５実施形態）
図５は本発明による第５実施形態の携帯無線端末の構成図である。
【００８４】
図５に示す第５実施形態の携帯無線端末１Ｃは、第４実施形態との相違点として、無線送受信部１１を通じて、通報センタのセンタ装置２Ａから、現在位置情報の送信を要求する所定の要求コマンドを受信した後に、現在位置取得機能１０３で求められた現在位置情報を通報センタに送信することを特徴とする。なお、第５実施形態の携帯無線端末１Ｃは、この一部処理内容が第４実施形態のそれと相違するが同一符号にしてある。
【００８５】
図５において、２３の操作入力部は上述の入力装置であり、この操作入力部２３で現在位置情報の送信を要求する操作が行われると、制御部２０によって、上記要求コマンドを通信部２１を通じて通信中の携帯無線端末１Ｃに送信する処理が実行される。
【００８６】
次に、第５実施形態の特徴となる動作について説明する。操作入力部１５で通常モード用スイッチが押下されると、撮像カメラ１６で撮像が行われ、その撮像によって得られた画像の内容が、記憶部１７に予め記憶された特定画像の内容に対応するか、対応しないかの判別が行われる。
【００８７】
そして、撮像カメラ１６の撮像によって得られた画像の内容が、記憶部１７に予め記憶された特定画像の内容に対応する、という判別結果が得られれば、緊急通報通常モードへの移行が許可される。続いて、緊急通報通常モードに移行し、マイク部１２、スピーカ部１３、発光部１４およびＧＰＳ受信部１８が動作状態に切り換わり、無線送受信部１１を通じて、通報センタへの通信が開始する。この後、無線送受信部１１を通じて、通報センタから認証用のＩＤ要求を受けると、携帯無線端末１Ｃに割り当てられているＩＤおよび緊急通報通常モードであることを示す状態情報が、通報センタに送信される。そして、通報センタで適正な認証結果が得られると、携帯無線端末１Ｃと通報センタとの間で双方向のデータ通信／音声通話が実行され、この緊急通報通常モードにおいて、無線送受信部１１を通じて、通報センタから上記要求コマンドが受信される毎に、現在位置取得機能１０３で求められた現在位置情報が通報センタに送信される。
【００８８】
上記緊急通報通常モードに対して、操作入力部１５で静観モード用スイッチが押下されると、撮像カメラ１６で撮像が行われ、その撮像によって得られた画像の内容が、記憶部１７に予め記憶された特定画像の内容に対応するか、対応しないかの判別が行われる。
【００８９】
そして、撮像カメラ１６の撮像によって得られた画像の内容が、記憶部１７に予め記憶された特定画像の内容に対応する、という判別結果が得られれば、緊急通報静観モードへの移行が許可される。続いて、緊急通報静観モードに移行し、マイク部１２およびＧＰＳ受信部１８とスピーカ部１３および発光部１４とがそれぞれ動作状態と動作禁止状態とに切り換わり、無線送受信部１１を通じて、通報センタへの通信が開始する。この後、無線送受信部１１を通じて、通報センタから認証用のＩＤ要求を受けると、携帯無線端末１Ｃに割り当てられているＩＤおよび緊急通報静観モードであることを示す状態情報が、通報センタに送信される。そして、通報センタで適正な認証結果が得られると、携帯無線端末１Ｃと通報センタとの間でデータ通信／音声通話が実行され、この緊急通報静観モードにおいて、無線送受信部１１を通じて、通報センタから上記要求コマンドが受信される毎に、現在位置取得機能１０３で求められた現在位置情報が通報センタに送信される。
【００９０】
以上のようにして、緊急通報通常モードまたは緊急通報静観モードにおいて、携帯無線端末１Ｃの現在位置情報が通報センタに送信され、例えば上述の表示装置に表示される。これにより、通報センタが望むときに、第５実施形態の携帯無線端末１Ｃの現在位置を知ることができる。
【００９１】
なお、上記各実施形態において、操作入力部１５で緊急通報通常モードまたは緊急通報静観モードを解除するための解除モードまたは待機モードを選択する操作が行われると、緊急通報通常モードまたは緊急通報静観モードを解除して、待機モードに移行し、マイク部１２およびスピーカ部１３などを非動作状態に切り換えるとともに、無線送受信部１１を通じた緊急通報先への通信を終了し、発光部１４のあるＬＥＤを常時点滅ないし点灯させて待機モード中であることを示すように構成してもよい。この構成の場合、待機モードでは、マイク部１２、スピーカ部１３および発光部１４のうち、マイク部１２およびスピーカ部１３が非動作状態となる。なお、非動作状態は、動作状態ではあるが無線送受信部１１に対しては切断状態にある実質的な非動作状態をも含むことは言うまでもない。
【００９２】
【発明の効果】
以上のことから明らかなように、本発明によれば、緊急通報を行うことが困難である状況下でも、誤り少なくかつ容易に緊急通報することができるとともに、他人による不正使用の防止が可能となる。
【図面の簡単な説明】
【図１】本発明による第１実施形態の携帯無線端末の構成図である。
【図２】本発明による第２実施形態の携帯無線端末の構成図である。
【図３】本発明による第３実施形態の携帯無線端末の構成図である。
【図４】本発明による第４実施形態の携帯無線端末の構成図である。
【図５】本発明による第５実施形態の携帯無線端末の構成図である。
【符号の説明】
１  携帯無線端末
１０  制御部
１１  無線送受信部
１２  マイク部
１３  スピーカ部
１４  発光部
１５  操作入力部
１６  撮像カメラ
１７  記憶部
【図１】
2004357247.tif 000003
【図２】
2004357247.tif 000004
【図３】
2004357247.tif 000005
【図４】
2004357247.tif 000006
【図５】
2004357247.tif 000007